(57)【要約】【課題】本発明は冷却装置およびこれを用いた電子機器に関するもので、過度の冷却を防止することを目的とするものである。【解決手段】そしてこの目的を達成するために本発明は、蒸発器８と凝縮器９を冷媒通路により環状に連結した自然循環式ループ型サーモサイフォン１０を備え、前記凝縮器９から蒸発器８への冷媒通路に開閉弁１１を設け、この開閉弁１１は、前記凝縮器９から蒸発器８への冷媒通路の温度により開閉動作を行わせる構成とした。【選択図】図１
2011124247.tif 000002
【特許請求の範囲】
【請求項１】
蒸発器と凝縮器を冷媒通路により環状に連結した自然循環式ループ型サーモサイフォンを備え、前記凝縮器から蒸発器への冷媒通路に開閉弁を設け、この開閉弁は、前記凝縮器から蒸発器への冷媒通路の温度により開閉動作を行わせる構成とした冷却装置。
【請求項２】
自然循環式ループ型サーモサイフォンを複数設け、それぞれの自然循環式ループ型サーモサイフォンに設けた開閉弁の動作温度を異ならせた請求項１記載の冷却装置。
【請求項３】
開閉弁は、全開と、全閉の切り替えを行う構成とした請求項１または２に記載の冷却装置。
【請求項４】
機能動作部収納室と冷却部収納室を有する本体ケースと、この本体ケース内の前記機能動作部収納室内に収納された機能動作部、および第一の送風ファンと、前記本体ケース内の前記冷却部収納室内に収納された第二の送風ファンとを備え、前記機能動作部収納室内に請求項１から３のいずれか一つに記載の冷却装置の蒸発器を配置し、前記冷却部収納室内に請求項１から３のいずれか一つに記載の冷却装置の凝縮器を配置した電子機器。
【発明の詳細な説明】
【技術分野】
【０００１】
本発明は、冷却装置およびこれを用いた電子機器に関するものである。
【背景技術】
【０００２】
電子機器、例えば、通信装置の基地局は、雨風から通信機を保護するために、この通信機を本体ケース内に収納させている。
【０００３】
そして、この通信機の動作に伴う発熱は、本体ケース内に設けた冷却装置によって行っている。
【０００４】
冷却装置としては、例えば、コンプレッサを用いた強制循環式のヒートポンプを設け、その蒸発器で通信機の熱を吸収し、蒸発器により本体ケース外に熱を放出することで、通信機の冷却を行っていた。
【０００５】
しかしながら、強制循環式のヒートポンプではコンプレッサの運転に伴う電力消費が大きくなるので、そこに自然循環式ヒートパイプ（例えば下記特許文献１）を用いることが検討されている。
【０００６】
つまり、本体ケースを機能動作部収納室と冷却部収納室に分離し、前記機能動作部収納室内に通信機と第一の送風ファンを収納させ、前記本体ケース内の前記冷却部収納室内には第二の送風ファンを収納させる。
【０００７】
そして、その状態で、前記機能動作部収納室内に自然循環式ヒートパイプの蒸発器を配置し、前記冷却部収納室内に自然循環式ヒートパイプの凝縮器を配置するのである。
【先行技術文献】
【特許文献】
【０００８】
【特許文献１】実開昭５８―４６９７３号公報
【発明の概要】
【発明が解決しようとする課題】
【０００９】
以上の自然循環式ヒートパイプを用いたものでは、前記機能動作部収納室内において第一の送風ファンを駆動させることで通信機の熱を自然循環式ヒートパイプの蒸発器に与えてその内部の冷媒をガス化させる。
【００１０】
蒸発した冷媒は自然循環式ヒートパイプ内を上昇し、冷却部収納室内の凝縮器に到達する。
【００１１】
この凝縮器には第二の送風ファンから送風されているので、ここでガス化した冷媒を外気で冷却して液化させ、自然循環式ヒートパイプ内を下方の蒸発器へと下降させ、そこで通信機の冷却を行うものである。
【００１２】
つまり自然循環式なので、コンプレッサの運転が不要で、その分消費電力を下げることができるのである。
【００１３】
さて、このように消費電力が小さいことで評価されるものも、例えば冬季においては通信機を過度に冷却することが課題となっている。
【００１４】
すなわち、冬季においては、通信機の冷却がほとんど不要なので、前記冷却部収納室内に設けた第二の送風ファンの運転を停止し、その冷却能力を下げることになる。
【００１５】
しかしながら、このように第二の送風ファンの運転を停止していても、本体ケース外から前記冷却部収納室に吹き込む風が強いと、この風で冷却部収納室内の凝縮器の冷却が進み、その結果として前記機能動作部収納室内の通信機が過度に冷却され、その結果として通信機の動作が不安定になることがある。
【００１６】
そこで本発明は、例えば冬季などにおける過度の冷却を防止することを目的とするものである。
【課題を解決するための手段】
【００１７】
そして、この目的を達成するために本発明は、蒸発器と凝縮器を冷媒通路により環状に連結した自然循環式ループ型サーモサイフォンを備え、前記凝縮器から蒸発器への冷媒通路に開閉弁を設け、この開閉弁は、前記凝縮器から蒸発器への冷媒通路の温度により開閉動作を行わせる構成とし、これにより所期の目的を達成するものである。
【発明の効果】
【００１８】
以上のように本発明は、蒸発器と凝縮器を冷媒通路により環状に連結した自然循環式ループ型サーモサイフォンを備え、前記凝縮器から蒸発器への冷媒通路に開閉弁を設け、この開閉弁は、前記凝縮器から蒸発器への冷媒通路の温度により開閉動作を行わせる構成としたものであるので、例えば冬季などにおける過度の冷却を防止することができる。
【図面の簡単な説明】
【００１９】
【図１】本発明の実施の形態１を示す構成図
【発明を実施するための形態】
【００２０】
以下、本実施の形態について図面を参照しながら説明する。
【００２１】
（実施の形態１）
図１は本発明を、電子機器の一例として、例えば、通信装置の基地局に採用したものを示すもので、本体ケース１は下方の機能動作部収納室２と、上方の冷却部収納室３を有する。
【００２２】
また、機能動作部収納室２内には機能動作部として通信機４と送風ファン５が収納され、さらに、冷却部収納室３内には送風ファン６が収納されている。
【００２３】
この図１の７は冷却装置で、この冷却装置７は、蒸発器８と凝縮器９を冷媒通路により環状に連結した複数の自然循環式ループ型サーモサイフォン１０を備え、前記蒸発器８は機能動作部収納室２に配置され、凝縮器９は冷却部収納室３内に配置されている。
【００２４】
そしてこの状態において複数の自然循環式ループ型サーモサイフォン１０の前記凝縮器９から蒸発器８への冷媒通路にはそれぞれ開閉弁１１を設けている。
【００２５】
この開閉弁１１は、前記凝縮器９から蒸発器８への冷媒通路の温度により開閉動作（例えばバイメタル動作）を行わせるものである。
【００２６】
つまり、前記凝縮器９から蒸発器８への冷媒通路を全開と、全閉の切り替えを行う構成としているが、複数の開閉弁１１の動作温度は異ならせている。
【００２７】
開閉弁１１は冷媒通路の温度により開閉動作を行う弁としたが、冷媒温度が低下すると冷媒通路内の冷媒圧力も低下するため、冷媒圧力（冷媒通路内部圧力）に応じて開閉動作を行うものを用いても良い。
【００２８】
以上の構成において、例えば夏季では、機能動作部収納室２内の送風ファン５と、冷却部収納室３内の送風ファン６をともに駆動する。
【００２９】
すると、機能動作部収納室２内では送風ファン５による空気の循環が行われ、その風に通信機４の熱が奪われる。
【００３０】
そして、この温度上昇した風は次に自然循環式ループ型サーモサイフォン１０の蒸発器８に触れることで、その内部の冷媒をガス化させる。
【００３１】
一方、この冷媒のガス化により循環空気は冷却され、これにより通信機４の効果的な冷却が行われる。
【００３２】
蒸発器８でガス化した冷媒は、冷媒通路を上昇し、凝縮器９に到達する。この凝縮器９では送風ファン６により本体ケース１に設けた通気口（図示せず）から外気が導入され、これが凝縮器９に吹きつけられ、これによりガス化した冷媒は冷却されて液化する。
【００３３】
そしてこの液化した冷媒は次に冷媒通路を下降して再び蒸発器８に到達する。つまり、冷媒の自然循環が行われるようになっている。このとき、凝縮器９から蒸発器８に下降する冷媒の温度は、所定値よりも高いので、複数の開閉弁１１はいずれも全開状態となっている。
【００３４】
さて季節が変わり、例えば冬季になると、通信機４の冷却がほとんど不要なので、前記冷却部収納室３内に設けた送風ファン６の運転を停止し、その冷却能力を下げることになる。
【００３５】
ただし、機能動作部収納室２内においては、通信機４の局所的な温度上昇を避けるために、送風ファン５は運転している。
【００３６】
しかしながら、このように冷却部収納室３内に設けた送風ファン６の運転を停止していても、本体ケース１の通気口から前記冷却部収納室３に強い風が吹き込むと、この風で冷却部収納室３内の凝縮器９の冷却が進み、その結果として前記機能動作部収納室２内の通信機４が過度に冷却され、その結果として通信機の動作が不安定になることがある。
【００３７】
そこで本実施形態では、前記凝縮器９から蒸発器８への冷媒通路に開閉弁１１を設け、前記凝縮器９から蒸発器８への冷媒通路の温度により、この開閉弁１１を動作させ、前記凝縮器９から蒸発器８への冷媒通路を全閉状態とした。
【００３８】
このため、自然循環式ループ型サーモサイフォン１０の冷媒の流れが遮断され、この結果として通信機４が過度に冷却され、その結果として通信機の動作が不安定になることはなくなった。
【００３９】
なお、本実施形態では、複数の開閉弁１１の動作温度は異ならせているので、温度の低下とともに、複数の自然循環式ループ型サーモサイフォン１０は順番に全閉状態となり、より細やかな制御が行えるようになっている。
【００４０】
なお、冬季には気温が低いので、蒸発器８の蒸発が低下するので、それだけで冷却能力が自然に落ちるのではないかとも考えられるが、実際は気温の低下で自然循環式ループ型サーモサイフォン１０内の冷媒の体積が小さくなり、それに伴って自然循環式ループ型サーモサイフォン１０内の気圧が低下し、それにより冷媒はガス化しやすくなるので、本実施形態のごとく開閉弁１１を設けなければ、ガス化した冷媒は、温度が低い風により、冷たい温度の液化状態となり、これにより通信機４が過度に冷却され、その結果として通信機の動作が不安定になるのを防止できなかった。
【産業上の利用可能性】
【００４１】
以上のように本発明は、蒸発器と凝縮器を冷媒通路により環状に連結した自然循環式ループ型サーモサイフォンを備え、前記凝縮器から蒸発器への冷媒通路に開閉弁を設け、この開閉弁は、前記凝縮器から蒸発器への冷媒通路の温度により開閉動作を行わせる構成としたものであるので、例えば冬季などにおける過度の冷却を防止することができる。
【００４２】
したがって、各種電子機器の冷却装置として広く活用が期待される。
【符号の説明】
【００４３】
１    本体ケース
２    機能動作部収納室
３    冷却部収納室
４    通信機
５，６  送風ファン
７    冷却装置
８    蒸発器
９    凝縮器
１０  自然循環式ループ型サーモサイフォン
１１  開閉弁
【図１】
2011124247.tif 000003